(57)【要約】【課題】回転ダイヤル型などの回転式操作子によってチャンネル切換等の選択対象の切換え操作を行うリモートコントローラで、回転式操作子への回転操作対象部位が右側半面か左側半面かによらず、回転操作方向と選択対象の切換わりの昇順・降順の対応関係が一致し、違和感の無い操作ができるようにする。【解決手段】リモートコントローラ２００の回転式操作子２２２の右側半面２２２Ｒまたは左側半面２２２Ｌを選択的に覆うように配されたスライド式のカバー２３０の位置をカバー位置検出センサ２８０で検出し、この検出出力に基づいて、回転式操作子２２２への操作が左右何れの半面に対するものかを判定し、該判定結果に応じて補正を施したリモートコントロール信号をデジタル放送受信機１００に送信する。【選択図】図２
2008109299.tif 000002
【特許請求の範囲】
【請求項１】
操作対象となる被操作装置に対する遠隔操作を行うための操作信号を送信するリモートコントローラであって、
操作者が片手で把持可能な外形および寸法を有し所定の外面部分が遠隔操作用の操作子を配する操作子配置面を成す筐体と、
回転の軸方向が前記操作子配置面と略直交するように配され且つ当該回転の軸を含む仮想平面によって区分される左右何れの部分からも操作者の指による回転操作を受けて回転可能な回転式操作子と、
前記回転式操作子の左側部分を露呈させて該左側部分からの回転操作を許容する左側操作許容位置と、前記回転式操作子の右側部分を露呈させて該右側部分からの回転操作を許容する右側操作許容位置との両位置間で移動可能に設けられ前記回転式操作子を部分的に覆うカバーと、
前記カバーが前記左側操作許容位置にあるか前記右側操作許容位置にあるかを識別するカバー位置識別手段と、
前記カバー位置識別手段による識別結果に応じて、前記回転式操作子の回転方向と前記選択対象の順序系列における昇順または降順での切換え順序との対応関係を決定し、該決定された切換え順序に適合する前記操作信号を生成する操作信号生成手段と、
を備えていることを特徴とするリモートコントローラ。
【請求項２】
前記回転式操作子は、円盤状のダイヤル型操作子であることを特徴とする請求項１に記載のリモートコントローラ。
【請求項３】
前記操作信号生成手段は、前記回転式操作子への回転操作に応じて、前記被操作装置である映像再生表示装置における選択対象となる複数のコンテンツを所定の順序系列における昇順または降順で切換え選択するための前記操作信号を生成するように構成されていることを特徴とする請求項１〜２の何れか一項に記載のリモートコントローラ。
【請求項４】
前記カバー位置識別手段による識別結果を表すカバー位置識別信号を前記被操作装置に送信するカバー位置識別信号送信手段を備えていることを特徴とする請求項１〜３の何れか一項に記載のリモートコントローラ。
【請求項５】
操作者が片手で把持可能な外形および寸法を有し所定の外面部分が遠隔操作用の操作子を配する操作子配置面を成す筐体の前記操作子配置面に自己の回転の軸方向が略直交するように且つ操作者の指による回転操作に応じて回転可能に配された回転式操作子と、前記回転式操作子の左側部分を露呈させて該左側部分からの回転操作を許容する左側操作許容位置と前記回転式操作子の右側部分を露呈させて該右側部分からの回転操作を許容する右側操作許容位置との両位置間で移動可能に設けられ前記回転式操作子を部分的に覆うカバーと、前記カバーが前記左側操作許容位置にあるか前記右側操作許容位置にあるかを識別するカバー位置識別手段と、前記回転式操作子の回転に伴って所定の選択対象の順序系列における昇順または降順での切換えを行うための操作信号を生成すると共に、前記カバー位置識別手段による識別結果に応じてカバー位置識別信号を発信するように構成されたリモートコントローラから、前記カバー位置識別信号を受信するカバー位置識別信号受信手段と、
前記カバー位置識別信号受信手段によって受信されたカバー位置識別信号に対応した形態で表示器に情報の表示を行う表示制御手段と、
を備えていることを特徴とする情報表示装置。
【請求項６】
前記表示制御手段は、前記カバー位置識別信号受信手段によって受信されたカバー位置識別信号に基づいて、前記リモートコントローラにおける前記回転式操作子のうち当該操作されている部位を含む所定の限定的部分に対応した形態で前記順序系列における昇順または降順での選択対象の並びを象徴的に表す表示を前記表示器に表示させるように制御することを特徴とする請求項５に記載の情報表示装置。
【請求項７】
前記表示制御手段は、前記カバー位置識別信号受信手段によって受信されたカバー位置識別信号に基づいて、前記リモートコントローラにおける前記回転式操作子の回転方向に対する前記選択対象の順序系列を象徴的に表す表示における昇順または降順の表示順序を選択的に切換えて前記表示器に表示させるように制御することを特徴とする請求項５に記載の情報表示装置。
【請求項８】
操作者が片手で把持可能な外形および寸法を有し所定の外面部分が遠隔操作用の操作子を配する操作子配置面を成す筐体と、回転の軸方向が前記操作子配置面と略直交するように配され且つ当該回転の軸を含む仮想平面によって区分される左右何れの部分からも操作者の指による回転操作を受けて回転可能な回転式操作子と、前記回転式操作子の左側部分を露呈させて該左側部分からの回転操作を許容する左側操作許容位置と、前記回転式操作子の右側部分を露呈させて該右側部分からの回転操作を許容する右側操作許容位置との両位置間で移動可能に設けられ前記回転式操作子を部分的に覆うカバーと、前記カバーが前記左側操作許容位置にあるか前記右側操作許容位置にあるかを識別するカバー位置識別手段と、前記回転式操作子の回転に伴って所定の選択対象の順序系列における昇順または降順での切換えを行うための前記操作信号を生成すると共に前記カバー位置識別手段による識別結果に応じて、前記回転式操作子の回転方向と前記選択対象の順序系列における昇順または降順での切換え順序との対応関係を決定し、該決定された切換え順序に適合する前記操作信号を生成するように構成されたリモートコントローラと、
前記カバー位置識別信号を受信するカバー位置識別信号受信手段と、前記カバー位置識別信号受信手段によって受信されたカバー位置識別信号に基づいて、前記リモートコントローラにおける前記回転式操作子の回転方向に対する前記選択対象の順序系列を象徴的に表す表示における昇順または降順の表示順序を選択的に切換えて前記表示器に表示させるように制御する表示制御手段と、を備えた情報表示装置と、
を含んで構成されていることを特徴とする情報表示システム。
【発明の詳細な説明】
【技術分野】
【０００１】
本発明は、例えば、片手で把持し指でダイヤル操作するように回転式操作子を回転操作することによって所定の選択対象を順次切換え選択することができるようなリモートコントローラ、および、このようなリモートコントローラで操作される被操作装置としての情報表示装置、ならびに、このようなリモートコントローラと情報表示装置を含んで構成される情報表示システムに関する。
【背景技術】
【０００２】
近年、デジタル放送受信機その他の映像機器等の操作をするには、リモートコントローラを用いることが一般的である。特に最近ではリモートコントローラ自体が極めて多数の多岐に亘る操作を行うような仕様のものとなって大型化複雑化してきており、ユーザーにとっては甚だ面倒な操作が増加してきている。
このような状況に鑑みて、リモートコントローラに操作者が把持したことを検知するセンサを設け、このセンサによる検出出力によって表示器にメニュー画面が表示されるように構成するといった提案がある。リモートコントローラに対し敢えてキー操作を行うことによってメニュー画面を立ち上げる必要がなく、操作の煩雑さを軽減することができる
とされている（特許文献１参照）。
【０００３】
また、リモートコントローラとＧＵＩを用いてデジタル放送受信機を操作する場合、まず、リモートコントローラ上のボタンを押し下げて、そのボタンに対応したＧＵＩ画面、あるいはＧＵＩ画面およびポインティングカーソルをデジタル放送受信機に表示させ、その後、表示されたＧＵＩ画面とリモートコントローラのボタンやポインティングデバイスを用いてデジタル放送受信機の操作を行い、操作完了後は、ボタン等の操作によってＧＵＩ画面およびポインティングカーソルを画面上から消す操作が必要な場合もある。
【０００４】
連続して操作を行う場合には、先の操作が完了した後に画面上からＧＵＩ画面が消えた場合には、再度機能ボタンを押し下げ、ＧＵＩ画面およびポインティングカーソルを表示しなければならず操作が煩雑であり、且つ、操作をしないときにＧＵＩ画面が継続的に表示されていては本来の映像表示の妨げになる。
このような点に鑑み、デジタル放送受信機の利用者がテレビ番組を鑑賞しているときにはＧＵＩ画面が鑑賞の妨害にならず、かつ、番組選択等のデジタル放送受信機の操作時には操作に必要なＧＵＩ画面を表示できるようにした、リモートコントローラおよびデジタル放送受信機が既に提案されている。
【０００５】
この提案では、リモートコントローラ側にはその把持状態を検出して把持状態信号を出力する把持状態検出手段と、この把持状態信号を他の制御信号と共に外部に発信する送信手段とを具備し、一方、デジタル放送受信機側には、リモートコントローラの把持状態を表す把持状態信号を抽出する抽出手段と、抽出された前記把持状態信号に応答して、デジタル放送受信機の表示面上にＧＵＩ画面の表示を行うか否かを指示する制御手段とを具備し、前記制御手段は、前記リモコン端末装置が把持されているときにのみ、ポインティングカーソルおよびＧＵＩ画面をテレビ受信機上に表示させることを可能にするといったものである。（特許文献２参照）。
【０００６】
更にまた、リモートコントローラで複数の機器を操作しようとする場合、それらに対応したキーが必要であり、キー数が増加するという問題があり、また、これら複数の機器用のキーが同一面上に配置されるため、目的のキーを見つけにくく、操作が難しくなるという問題に鑑み、入力キーのほかに動作モードを切換えるためのダイヤルを設けてこの問題に対処しようといった提案がある。
【０００７】
この提案では、ダイヤルの回転操作が行われると、その回転操作位置に対応した動作モードへと切換わり、制御部が、その新しい動作モードに対応する表示データを表示部で表示する。この表示データは、機器やサービスの名称、各キーの機能を表現するアイコン（絵文字）などを含むものであり、且つ、簡単な操作で、表示データと送信データの組み合わせから成る動作モードを変更して、操作できる機器やサービスを切換えることができるとされている（特許文献３参照）。
【０００８】
また、リモートコントローラの筐体を手で持って、例えば親指で所望の操作スイッチを操作することにより、赤外線送信部から赤外光による操作信号をデジタル放送受信機等の赤外線受光部に対して送信が行なわれるよう場合、筐体の表面に並んで設けられた複数個の操作スイッチは、同じ形状のものが使用されているため、目視せずに操作しようとすると、手探りで操作することになり、所望の操作を行なうことが容易ではなく、操作性が悪いという問題があり、また、操作スイッチの数が多いことから、リモートコントローラ全体が大型化してしまうという問題があったに鑑み、小型で且つ軽量に構成され得ると共に、操作性が良好であるようにした、リモートコントローラを提供することを目的とした提案もある。
【０００９】
この提案では、筐体の表面に少なくとも一つの操作スイッチを設け、且つ、筐体の側面にダイヤルプッシュスイッチを設け、上記操作スイッチ及びダイヤルプッシュスイッチの操作に基づいて制御信号を生成する制御回路を設け、上記ダイヤルプッシュスイッチの押圧操作により、各種操作モードの切換え操作や確定操作が行なわれると共に、上記ダイヤルプッシュスイッチの回転操作により、各種操作機能の調整操作が行なわれるようにリモートコントローラを構成する。
【００１０】
上記構成によれば、ダイヤルプッシュスイッチの押圧操作により、例えば選局操作モード，音量調整モード等の操作モードの切換え操作や確定操作が行なわれると共に、ダイヤルプッシュスイッチの回転装置により、例えば実際の選局操作，音量調整等の調整操作が行なわれ得、ケースの表面には、電源スイッチ等の最低限必要な操作スイッチのみが配設されることによって、操作スイッチの数が少なくなり、操作性が向上する。また、操作スイッチ数の減少により、ケースの表面面積を小さくすることができるので、リモコン装置全体が小型で且つ、軽量に構成され得ることになるとされている（特許文献４参照）。
【特許文献１】特開平５−１３０６８１号公報（段落０００２〜段落０００９、図２）
【特許文献２】特許公開２０００−２７０２３６号公報（段落０００２〜段落００１１、図１）
【特許文献３】特許公開平９−３０７９６８号公報（段落０００６〜段落００１３、図１）
【特許文献４】特許公開平１１−３１２４４１号公報（段落０００３〜段落０００９、図１）
【発明の開示】
【発明が解決しようとする課題】
【００１１】
しかしながら、上述のようなリモートコントローラにおいて、操作子が回転式のものであって、回転の軸方向が筐体の操作子配置面と略直交するように配され且つ当該回転の軸を含む仮想平面によって区分される左右何れの部分からも操作者の指による回転操作を受けて回転可能な回転式操作子である場合には、この種の回転式操作子に特有の問題が生じる。この問題について、以下に図面を参照しながら説明する。
【００１２】
図８および図９は、従来のリモートコントローラの回転式の操作子（本例では、ダイヤル型の操作子）を回転操作した場合の作用について説明する図である。図８および図９では、リモートコントローラのダイヤル型の操作子に対する回転操作の様子と、このリモートコントローラによって操作される情報表示装置の表示器に映出されるメニュー画面中のアイコン等の代表画像が移動する様子が示されている。
【００１３】
図８には、ダイヤル型の操作子の回転軸（実体としての軸であるか仮想的な軸であるかを問わない）はリモートコントローラ筐体の操作子配置面と略直交するように配されており、この回転軸を含む仮想平面（その平面投影が図示の一点鎖線）によって区分される左側半面および右側半面のうち、特に、その右側半面の円弧周縁であるに着目して、この円弧の適宜の部位に操作者が指で触れて回転操作する場合の作用が表されている。
【００１４】
図８（ａ）には、その要部が象徴的に表されたリモートコントローラ１０００に設けられたダイヤル型の操作子１０１０を時計方向に回転させるときの様子が、回転方向を表す矢線を伴って表されている。このダイヤル型の操作子１０１０の中央部には同心状に決定ボタン１０２０が設けられている。
操作子１０１０をその平面投影形状の中心を通る仮想線（一点鎖線で図示）でリモートコントローラ１０００の筐体の長手方向に沿って左右対称となるように二分割したときの右側半面１０１０Ｒの部分では、操作子１０１０の時計方向に回転に伴って、各部が総じて、矢型で図示の下向き（リモートコントローラ１０００を操作対象の装置に向けて持ったときに手前側となる向き）に変位する。
【００１５】
図８（ｂ）には、リモートコントローラ１０００の操作子１０１０を、図８（ａ）を参照して説明したように操作したことに対応して、例えば、デジタル放送受信機である情報表示装置２０００の表示器２０１０に映出されるメニュー画面２０１１中のアイコン等の各代表画像が移動する様子が示されている。
図８（ｂ）の場合においては、上述の各代表画像は、枠線付きの数字１，２，３，…，８であり、これらは、例えば、地上デジタル放送におけるチャンネル番号を表している。或る時点では、図示のように、１，２，…，５がメニュー画面２０１１の領域内に収まるように表示され、それ以外の数字６，７，８は破線の枠線を附して概念的に示されているように、メニュー画面２０１１の領域内には表示されず、言わば待機状態にある。
【００１６】
図８（ｂ）に図示の状態から、更に、リモートコントローラ１０００の操作子１０１０を、図８（ａ）を参照して説明したように時計方向に回転操作すると、各代表画像１，２，３，…は矢線図示のように円弧状の移動軌跡を描く如く、各々が、総じて、矢型で図示の下向きに移動する。
例えば、操作子１０１０が所定角度毎にクリックが生じるように回転変位するように構成されたものである場合に、このような回転変位におけるクリックの間隔である所定単位角度毎に、図８（ｂ）の代表画像は、一つのもの（例えば「８」）が新たにメニュー画面２０１１中に入り、これに伴って、他の一つのもの（例えば「５」）がメニュー画面２０１１外に出る（表示されなくなる）。
【００１７】
図８（ｃ）には、操作子１０１０を図８（ａ）の場合とは反対に、反時計方向に回転させるときの様子が、回転方向を表す矢線を伴って表されている。
操作子１０１０における既述の右側半面１０１０Ｒの部分では、操作子１０１０の反時計方向に回転に伴って、各部が総じて、矢型で図示の上向き（リモートコントローラ１０００を操作対象の装置に向けて持ったときにその装置に向かう側となる向き）に変位することになる。
【００１８】
図８（ｄ）には、リモートコントローラ１０００の操作子１０１０を図８（ｃ）を参照して説明したように操作したことに対応して、既述の表示器２０１０に映出されるメニュー画面２０１１中のアイコン等の各代表画像が移動する様子が示されている。
当初は図８（ｂ）に図示の状態と同じ状態から、更に、リモートコントローラ１０００の操作子１０１０を、図８（ｃ）を参照して説明したように反時計方向に回転操作すると、各代表画像１，２，３，…は矢線図示のように円弧状の移動軌跡を描く如く、各々が、総じて、矢型で図示の上向きに移動する。
【００１９】
以上、図８（ａ）〜図８（ｄ）を参照して説明したところから明瞭に理解されるように、ダイヤル型の操作子１０１０の右側半面１０１０Ｒの円弧に着目して、この円弧の適宜の部位に操作者が指で触れて回転操作する場合では、この操作子１０１０の右側半面１０１０Ｒの円弧の部分の、図８（ａ）の下向きの変位（矢型で図示）に対応して、例えばチャンネル番号である枠線付きの数字は、図８（ｂ）を参照して説明したような下向きの変位（矢型で図示）、即ち、降順での切換えが起こることになる。また、この関係は、図８（ｃ）の反時計方向の回転操作とこれに対応する図８（ｄ）の昇順での切換えについて同様である。
【００２０】
換言すれば、ダイヤル型の操作子１０１０の操作方向（変位方向）と選択対象であるチャンネル番号の順序系列における昇順または降順での切換え順序とは一致した関係になっている。従って、通常の操作者（デジタル放送受信機の視聴者）におけるリモートコントローラ（そのダイヤル型の操作子１０１０）の操作感覚と選択対象（チャンネル番号）の昇順または降順が切換わる順序とは一致したものとなり、違和感がない。
【００２１】
図９は、図８とは異なり、ダイヤル型の操作子の左側半面の円弧に着目して、この円弧の適宜の部位に操作者が指で触れて回転操作する場合の作用が表されている。
図９（ａ）には、その要部が象徴的に表されたリモートコントローラ１０００に設けられたダイヤル型の操作子１０１０を反時計方向に回転させるときの様子が、回転方向を表す矢線を伴って表されている。
【００２２】
操作子１０１０をその平面投影形状の中心を通る仮想線（一点鎖線で図示）でリモートコントローラ１０００の筐体の長手方向に沿って左右対称となるように二分割したときの左側半面１０１０Ｌの部分では、操作子１０１０の反時計方向に回転に伴って、各部が総じて、矢型で図示の下向き（リモートコントローラ１０００を操作対象の装置に向けて持ったときに手前側となる向き）に変位する。
【００２３】
図９（ｂ）には、操作子１０１０を図９（ａ）を参照して説明したように操作したことに対応して、例えば、デジタル放送受信機である情報表示装置２０００の表示器２０１０に映出されるメニュー画面２０１１中のアイコン等の各代表画像が移動する様子が示されている。
図９（ｂ）の場合においては、上述の各代表画像は、枠線付きの数字１，２，３，…，８であり、これらは、例えば、地上デジタル放送におけるチャンネル番号を表している。或る時点では、図示のように、１，２，…，５がメニュー画面２０１１の領域内に収まるように表示され、それ以外の数字６，７，８は破線の枠線を附して概念的に示されているように、メニュー画面２０１１の領域内には表示されず、言わば待機状態にある。
【００２４】
図９（ｂ）に図示の状態から、更に、リモートコントローラ１０００の操作子１０１０を、図９（ａ）を参照して説明したように反時計方向に回転操作すると、各代表画像１，２，３，…は矢線図示のように円弧状の移動軌跡を描く如く、各々が、総じて、矢型で図示の上向きに移動する。
例えば、操作子１０１０が所定角度毎にクリックが生じるように回転変位するように構成されたものである場合に、このような回転変位におけるクリック発生の間隔である所定単位角度毎に、図９（ｂ）の代表画像は、一つのもの（例えば「６」）が新たにメニュー画面２０１１中に入り、これに伴って、他の一つのもの（例えば「１」）がメニュー画面２０１１外に出る（表示されなくなる）。
【００２５】
図９（ｃ）には、操作子１０１０を図９（ａ）の場合とは反対に、時計方向に回転させるときの様子が、回転方向を表す矢線を伴って表されている。
操作子１０１０における既述の左側半面１０１０Ｌの部分では、操作子１０１０の時計方向の回転に伴って、各部が総じて、矢型で図示の上向き（リモートコントローラ１０００を操作対象の装置に向けて持ったときにその装置に向かう側となる向き）に変位することになる。
【００２６】
図９（ｄ）には、リモートコントローラ１０００の操作子１０１０を、図９（ｃ）を参照して説明したように操作したことに対応して、表示器２０１０に映出されるメニュー画面２０１１中のアイコン等の各代表画像が移動する様子が示されている。
当初は図９（ｂ）に図示の状態と同じ状態から、更に、リモートコントローラ１０００の操作子１０１０を、図９（ｃ）を参照して説明したように時計方向に回転操作すると、各代表画像１，２，３，…は矢線図示のように円弧状の移動軌跡を描く如く、各々が、総じて、矢型で図示の下向きに移動する。
【００２７】
以上、図９（ａ）〜図９（ｄ）を参照して説明したところから明瞭に理解されるように、ダイヤル型の操作子１０１０の左側半面１０１０Ｌの円弧に着目して、この円弧の適宜の部位に操作者が指で触れて回転操作する場合では、この操作子１０１０の左側半面１０１０Ｌの円弧の部分の、図９（ａ）の下向きの変位（矢型で図示）に対応して、例えばチャンネル番号である枠線付きの数字は、図９（ｂ）を参照して説明したような上向きの変位（矢型で図示）、即ち、昇順での切換えが起こることになる。
【００２８】
また、図９（ｃ）の時計方向（上向き）の回転操作に対応して図９（ｄ）の降順での切換が行われる。
換言すれば、ダイヤル型の操作子１０１０の操作方向（変位方向）と、選択対象であるチャンネル番号の順序系列における昇順または降順での切換わりの順序とは、相互に逆行する関係になっている。
【００２９】
従って、通常の操作者（デジタル放送受信機の視聴者）におけるリモートコントローラ（そのダイヤル型の操作子１０１０）の操作感覚と、現実に選択対象（チャンネル番号）が（昇順または降順に）切換わる順序とは、一致せず、違和感を覚えるものとなる。
しかしながら、上掲の何れの提案においても、このような現象は技術課題として認識されておらず、従って、当然ながら、このような技術課題の解決手段は開示されていない。
【００３０】
即ち、上述の特許文献１および特許文献２には、リモートコントローラの筐体を把持したことを検出するセンサを備えることが開示されているが、このセンサによる検出出力に基づいて、上述のような、回転式操作子に関して生じる特有の問題を解決しようとする着眼がない。
また、特許文献３および特許文献４には、リモートコントローラに回転式操作子を設けることが開示されているが、これらの特許文献に開示の回転式操作子では、その左側半面を含む半分以上の部分は筐体内に収容された状態を維持するように構成されており、従って、上述のような、（左右何れの周縁からでも操作可能な）回転式操作子に関して生じる特有の問題が本質的に生じることがなく、当然ながら、上述のような問題は技術課題として全く勘案されていない。
【００３１】
本発明は、上述のような従来技術においては着目されず、或いは、残置されていた課題に着目してなされたものであり、回転式操作子を回転操作する際に、この回転に伴って所定の選択対象の順序系列における昇順または降順での切換え順序が、その回転式操作子の左右何れの部位に触れて（注目して）操作を行う場合であっても、操作方向と切換え順序との対応関係が一致して、常に違和感がなく、誤操作の虞も少ないリモートコントローラ、および、このようなリモートコントローラで操作される被操作装置としての情報表示装置、ならびに、このようなリモートコントローラと情報表示装置を含んで構成される情報表示システムを具現することを目的とする。
【課題を解決するための手段】
【００３２】
上記課題を解決するべく、本願では次に列記するような技術を提案する。
（１）操作対象となる被操作装置に対する遠隔操作を行うための操作信号を送信するリモートコントローラであって、
操作者が片手で把持可能な外形および寸法を有し所定の外面部分が遠隔操作用の操作子を配する操作子配置面を成す筐体と、
回転の軸方向が前記操作子配置面と略直交するように配され且つ当該回転の軸を含む仮想平面によって区分される左右何れの部分からも操作者の指による回転操作を受けて回転可能な回転式操作子と、
前記回転式操作子の左側部分を露呈させて該左側部分からの回転操作を許容する左側操作許容位置と、前記回転式操作子の右側部分を露呈させて該右側部分からの回転操作を許容する右側操作許容位置との両位置間で移動可能に設けられ前記回転式操作子を部分的に覆うカバーと、
前記カバーが前記左側操作許容位置にあるか前記右側操作許容位置にあるかを識別するカバー位置識別手段と、
前記カバー位置識別手段による識別結果に応じて、前記回転式操作子の回転方向と前記選択対象の順序系列における昇順または降順での切換え順序との対応関係を決定し、該決定された切換え順序に適合する前記操作信号を生成する操作信号生成手段と、
を備えていることを特徴とするリモートコントローラ。
【００３３】
上記（１）のリモートコントローラでは、左右何れの部分からも操作者の指による回転操作を受けて回転可能な回転式操作子に関して、この回転式操作子の左側部分を露呈させて該左側部分からの回転操作を許容する左側操作許容位置と、この回転式操作子の右側部分を露呈させて該右側部分からの回転操作を許容する右側操作許容位置との両位置間で移動可能に設けられ回転式操作子を部分的に覆うカバーを配設し、このカバーが左側操作許容位置にあるか右側操作許容位置にあるかをカバー位置識別手段で識別し、操作信号生成手段によって、該識別の結果に応じて、回転式操作子の回転方向と選択対象の順序系列における昇順または降順での切換え順序との対応関係を決定し、該決定された切換え順序に適合するような操作信号を生成する。
このため、回転式操作子が左右何れの部分から操作者の指による回転操作を受けて回転した場合であっても、回転操作の方向と選択対象の順序系列における昇順または降順での切換え順序との対応関係が、操作者の感覚に馴染んだものとなり、違和感がなく、且つ、誤操作のおそれも少ない良好な操作を行うことが可能になる。
【００３４】
（２）前記回転式操作子は、円盤状のダイヤル型操作子であることを特徴とする（１）のリモートコントローラ。
上記（２）のリモートコントローラでは、（１）のリモートコントローラにおいて特に、回転式操作子が円盤状のダイヤル型操作子であるため、通常の電子機器におけるダイヤル型操作に馴染んだ操作者にとって使用の当初から違和感の少ない操作を行うことが可能である。
【００３５】
（３）前記操作信号生成手段は、前記回転式操作子への回転操作に応じて、前記被操作装置である映像再生表示装置における選択対象となる複数のコンテンツを所定の順序系列における昇順または降順で切換え選択するための前記操作信号を生成するように構成されていることを特徴とする（１）〜（２）の何れか一のリモートコントローラ。
上記（３）のリモートコントローラでは、（１）〜（２）の何れか一のリモートコントローラにおいて特に、操作信号生成手段は、前記回転式操作子への回転操作に応じて、例えば、地上デジタル放送における放送チャンネル番号その他の複数のコンテンツを所定の順序系列における昇順または降順で切換え選択するための操作信号を生成する。このため、リモートコントローラの操作者の感覚に合致した順序でのコンテンツの切換え選択が行われ得る。
【００３６】
（４）前記カバー位置識別手段による識別結果を表すカバー位置識別信号を前記被操作装置に送信するカバー位置識別信号送信手段を備えていることを特徴とする（１）〜（３）の何れか一のリモートコントローラ。
上記（４）のリモートコントローラでは、（１）〜（３）の何れか一のリモートコントローラにおいて特に、カバー位置識別手段による各識別結果を表すカバー位置識別信号を被操作装置に送信するカバー位置識別信号送信手段を備えているため、このカバー位置識別信号送信手段からのカバー位置識別信号を受信した被操作装置側では、リモートコントローラに関する操作者の把持手や操作指を認識して、適切な表示や制御を行うように対応をとることが可能になる。
【００３７】
（５）操作者が片手で把持可能な外形および寸法を有し所定の外面部分が遠隔操作用の操作子を配する操作子配置面を成す筐体の前記操作子配置面に自己の回転の軸方向が略直交するように且つ操作者の指による回転操作に応じて回転可能に配された回転式操作子と、前記回転式操作子の左側部分を露呈させて該左側部分からの回転操作を許容する左側操作許容位置と前記回転式操作子の右側部分を露呈させて該右側部分からの回転操作を許容する右側操作許容位置との両位置間で移動可能に設けられ前記回転式操作子を部分的に覆うカバーと、前記カバーが前記左側操作許容位置にあるか前記右側操作許容位置にあるかを識別するカバー位置識別手段と、前記回転式操作子の回転に伴って所定の選択対象の順序系列における昇順または降順での切換えを行うための操作信号を生成すると共に、前記カバー位置識別手段による識別結果に応じてカバー位置識別信号を発信するように構成されたリモートコントローラから、前記カバー位置識別信号を受信するカバー位置識別信号受信手段と、
前記カバー位置識別信号受信手段によって受信されたカバー位置識別信号に対応した形態で表示器に情報の表示を行う表示制御手段と、
を備えていることを特徴とする情報表示装置。
【００３８】
上記（５）の情報表示装置では、回転式操作子のカバーが左側操作許容位置にあるか前記右側操作許容位置にあるかを識別する情報を担うカバー位置識別信号をリモートコントローラから受信することにより、これらの情報を反映させた形態で表示器に情報の表示を行うことが可能になる。リモートコントローラの操作状態識に良く適合した態様での表示を行うことが可能になる。
【００３９】
（６）前記表示制御手段は、前記カバー位置識別信号受信手段によって受信されたカバー位置識別信号に基づいて、前記リモートコントローラにおける前記回転式操作子のうち当該操作されている部位を含む所定の限定的部分に対応した形態で前記順序系列における昇順または降順での選択対象の並びを象徴的に表す表示を前記表示器に表示させるように制御することを特徴とする（５）の情報表示装置。
【００４０】
上記（６）情報表示装置では、（５）の情報表示装置において特に、カバー位置識別信号受信手段によって受信されたカバー位置識別信号に基づいて、リモートコントローラにおける回転式操作子のうち当該操作されている部位を含む所定の限定的部分に対応した形態で所定の順序系列における昇順または降順での選択対象の並びを象徴的に表す表示を自己の表示器に表示させる。このため、リモートコントローラの操作者が注目している限定的部位とその近傍部が情報表示装置の表示器に表示され、良好な操作性が確保される。
【００４１】
（７）前記表示制御手段は、前記カバー位置識別信号受信手段によって受信されたカバー位置識別信号に基づいて、前記リモートコントローラにおける前記回転式操作子の回転方向に対する前記選択対象の順序系列を象徴的に表す表示における昇順または降順の表示順序を選択的に切換えて前記表示器に表示させるように制御することを特徴とする（５）の情報表示装置。
【００４２】
上記（７）の情報表示装置では、（５）の情報表示装置において特に、その表示制御手段は、カバー位置識別信号受信手段によって受信されたカバー位置識別信号に基づいて、リモートコントローラにおける回転式操作子の回転方向に対する選択対象の順序系列を象徴的に表す表示における昇順または降順の表示順序を選択的に切換えて表示器に表示させるように制御するため、リモートコントローラ側では、回転式操作子の回転方向に対する選択対象の順序系列を象徴的に表す表示における昇順または降順の表示順序を切換えた信号の発信を行わずとも、情報表示装置側で、この表示順序が適切なものとなるように制御することが可能になる。
【００４３】
（８）操作者が片手で把持可能な外形および寸法を有し所定の外面部分が遠隔操作用の操作子を配する操作子配置面を成す筐体と、回転の軸方向が前記操作子配置面と略直交するように配され且つ当該回転の軸を含む仮想平面によって区分される左右何れの部分からも操作者の指による回転操作を受けて回転可能な回転式操作子と、前記回転式操作子の左側部分を露呈させて該左側部分からの回転操作を許容する左側操作許容位置と、前記回転式操作子の右側部分を露呈させて該右側部分からの回転操作を許容する右側操作許容位置との両位置間で移動可能に設けられ前記回転式操作子を部分的に覆うカバーと、前記カバーが前記左側操作許容位置にあるか前記右側操作許容位置にあるかを識別するカバー位置識別手段と、前記回転式操作子の回転に伴って所定の選択対象の順序系列における昇順または降順での切換えを行うための前記操作信号を生成すると共に前記カバー位置識別手段による識別結果に応じて、前記回転式操作子の回転方向と前記選択対象の順序系列における昇順または降順での切換え順序との対応関係を決定し、該決定された切換え順序に適合する前記操作信号を生成するように構成されたリモートコントローラと、
前記カバー位置識別信号を受信するカバー位置識別信号受信手段と、前記カバー位置識別信号受信手段によって受信されたカバー位置識別信号に基づいて、前記リモートコントローラにおける前記回転式操作子の回転方向に対する前記選択対象の順序系列を象徴的に表す表示における昇順または降順の表示順序を選択的に切換えて前記表示器に表示させるように制御する表示制御手段と、を備えた情報表示装置と、
を含んで構成されていることを特徴とする情報表示システム。
【００４４】
上記（８）の情報表示システムでは、リモートコントローラ側から、回転式操作子のカバーが左側操作許容位置にあるか前記右側操作許容位置にあるかを識別する情報を担うカバー位置識別信号を受信することにより、情報表示装置側では、この情報を反映させた形態で表示器に情報の表示を行うことが可能になる。リモートコントローラの操作状態識に良く適合した態様での表示を行うことが可能になり、誤操作の虞も払拭される。
【発明を実施するための最良の形態】
【００４５】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の一つの実施の形態としての情報表示システムを表す図である。
図１において、本発明の情報表示装置の一つの実施の形態としてのデジタル放送受信機１００とリモートコントローラ２００を含んで情報表示システム１０が構成されている。
【００４６】
周波数変換器を備えたアンテナ１１０で受信され周波数変換された放送波はチューナ部１２０に供給される。チューナ部１２０では、映像データと音声データとを含む高周波データ変調信号のうちから所望の特定周波数の信号を抽出し、復調処理、逆インターリーブ処理、誤り訂正処理等を行って上記抽出した信号を復調してトランスポートストリームを出力する。更に、チューナ部１２０は、誤り訂正処理の過程で得られる受信状態を表すエラーレートまたはＣ／Ｎ比のデータを生成する。
【００４７】
チューナ部１２０の出力であるトランスポートストリームはデスクランブル部１３０に供給される。デスクランブル部１３０は、適用されたＩＣカード１３１からＩＣカード読取り部１３２が読取った鍵情報を用いてトランスポートストリームのスクランブルを解除する。
デスクランブル部１３０は、更に、デマルチプレクス処理機能を備えており、デスクランブル処理されたトランスポートストリームを、ＭＰＥＧ２（Moving Picture Experts Group２）のビデオトランスポートパケット、オーディオトランスポートパケット、及びＰＳＩ／ＳＩ（Program Specific Information／Service Information）に分離する。
【００４８】
このように分離されたビデオトランスポートパケットとオーディオトランスポートパケットはＡＶデコーダ部１４０に供給される。
このデジタル放送受信機１００の系全体を統括的に制御するべく、マイクロプロセッサを主体に構成されたシステムコントローラ１５０が設けられ、このシステムコントローラ１５０に、既述の受信状態を表すエラーレートまたはＣ／Ｎ比のデータ、および、ＰＳＩ／ＳＩのデータも入力される。
【００４９】
システムコントローラ１５０は、後述するように、その各該当する自己の機能部および関連する他の機能部と共働によって本発明の枢要な構成要件としての各手段乃至それらの部分を構成するようになされている。
トランスポートストリームには複数のチャンネルが多重化されており、これらのうちから所望のチャンネルを選択することは、既述のＰＳＩ／ＳＩから当該所望のチャンネルがトランスポートストリーム中でどのパケットＩＤで多重化されているかといったデータを判読することによって達成される。
【００５０】
ＡＶデコーダ部１４０は、ビデオトランスポートパケットに対してデコードを行うビデオデコーダ、および、オーディオトランスポートパケットに対してデコードを行うオーディオデコーダを備えている。ビデオデコーダは、入力された可変長符号を復号して量子化係数や動きベクトルを求め、逆ＤＣＴ変換や動きベクトルに基づく動き補償制御などを行う。また、オーディオデコーダは、入力された符号化信号を復号して音声データを生成する。
【００５１】
ＡＶデコーダ部１４０の上述のビデオデコーダの出力は、加算器１４１を介して映像処理部１４２に供給され、一方、上述のオーディオデコーダの出力は、音声処理部１４３に供給される。
映像処理部１４２は、ＡＶデコーダ部１４０から映像データを受け取ってＤ／Ａ変換を行い、例えばコンポジット映像信号に変換する。一方、音声処理部１４３は、ＡＶデコーダ部１４０から音声データを受け取ってＤ／Ａ変換を行い、例えば右（Ｒ）音のアナログ信号および左（Ｌ）音のアナログ信号を生成する。
【００５２】
映像処理部１４２の出力は映像出力部１４４を介して表示器１６０に供給されて映像が画面に表示され、音声処理部１４３の出力は音声出力部１４５を介してスピーカ１６１に供給されて音声が出力される。
システムコントローラ１５０の制御下で作動するＯＳＤ部１５１が設けられ、システムコントローラ１５０から出力指示されたアイコン、メニュー、文字、および表示色等を表す映像パターンデータを生成して加算器１４１に出力する。
【００５３】
加算器１４１は映像パターンデータをＡＶデコーダ１４０から出力される受信映像データに組み込む処理を行う。
リモートコントローラ２００からの赤外光による操作指令信号（リモートコントロール信号）を受信するためのリモートコントロール信号受信部１５２が設けられ、その出力がリモートコントロール信号デコード部１５３でデコード処理されてシステムコントローラ１５０に供給されるように構成されている。
【００５４】
システムコントローラ１５０と種々のデータの授受を行い得るようにメモリ１５５が設けられ、更に、このデジタル放送受信機１００に対してリモートコントローラ２００を介さずに直接操作を行うための操作ボタンやその他の操作子を備えた操作部１５６がシステムコントローラ１５０に接続されている。
この実施の形態の情報表示システム１０では、デジタル放送受信機１００は、その表示器１６０に夫々対応する情報（例えば、地上デジタル放送の放送チャンネル番号）を代表する複数のアイコンを表示器１６０の有効表示領域に円周状または円弧状に並べて配列した所定の配置を以って表示画面内にメニュー表示する。
【００５５】
このメニュー表示は、リモートコントローラ２００からの上述のリモートコントロール信号をリモートコントロール信号デコード部１５３でデコード処理して得た操作指令の供給を受けたシステムコントローラ１５０からのメニュー表示指令に基づいてＯＳＤ部１５１で生成される映像パターンデータをＡＶデコーダ１４０から出力される受信映像データに組み込んで映像処理部１４２に供給し、更に、映像出力部１４４を介して表示器１６０に供給することにより行なわれる。
【００５６】
尚、後述するメニュー表示モードにおいては、表示器１６０の有効表示領域では、他の映像にメニューをスーパーインポーズ表示するのではなく、専ら所定のメニュー表示を行うメニュー表示画面が映出される。また、メニュー表示モードにおける地上デジタル放送の放送チャンネル番号等を代表する複数のアイコンである代表画像は、後述するように、リモートコントローラ２００の回転式操作子２２２の回転操作に応じてその表示位置を円弧状に遷移させる。本発明においては特に、この回転式操作子２２２に対応して、後述するような移動可能なカバー２３０が設けられている。
【００５７】
図２は、本発明の一つの実施の形態としてのリモートコントローラ２００の外観を表す図である。
図２（ａ）はリモートコントローラ２００の平面図、図２（ｂ）は底面図、図２（ｃ）は左側面図、図２（ｄ）は右側面図である。
図示のリモートコントローラ２００は、操作者が片手で把持可能な外形および寸法を有する筐体２１０の所定の外面部分が遠隔操作用の種々の操作子２２０を配する操作子配置面２１１を成すように形成されている。
【００５８】
図では、操作子２２０について、説明の便宜上、主要なもののみが例示されているが、複数配された操作子２２０のうち選択的に操作される該当する操作子への操作に応じて、このリモートコントローラ２００から操作対象となる例えばデジタル放送受信機等の情報表示装置である被操作装置に対して、遠隔操作を行うための操作信号が送信される。
これら操作子２２０のうちの一部のものは、外面に例えば地上デジタル放送のチャンネル番号が表記され、これを押圧操作することによって所望のチャンネルを一挙動で直接選択する所謂ダイレクトチャンネルボタン２２１である。
【００５９】
また、操作子２２０のうちの他の一部のものが、ダイヤル型の回転式操作子２２２であり、その中央部には、各種操作の決定を行う決定ボタン２２３が設けられている。
回転式操作子２２２が円盤状のダイヤル型操作子であるため、通常の電子機器におけるダイヤル型操作に馴染んだ操作者にとって使用の当初から違和感の少ない操作を行うことが可能である。
【００６０】
この回転式操作子２２２は、回転の軸方向が操作子配置面２１１と略直交するように配され、且つ、この回転の軸を含む仮想平面によって区分される左側および右側の何れの部分からも操作者の指による回転操作を受けて回転可能に設けられている。
図２（ｂ）の底面図には、上述の回転式操作子２２２について、その右側半面および左側半面を区分する仮想平面がその平面投影として一点鎖線で表されている。
【００６１】
この仮想平面は、回転式操作子２２２の回転の軸（実体としての軸であるか仮想的な軸であるかを問わない）を通りリモートコントローラ２００の筐体２１０を左右に二分する（従って、回転式操作子２２２を左右に二分する）ものとして想定されている。
回転式操作子２２２と関連する機構部については、後に図３をも併せ参照して更に詳述するが、回転式操作子２２２はスライド式のカバー２３０によって左右各半面が選択的に覆われて、このカバー２３０から露呈している半面側に触れて回転操作することが許容される。
【００６２】
図２（ｃ）の左側面図、および、図２（ｄ）の右側面図をも併せ参照してその機構が容易に理解される通り、カバー２３０は、リモートコントローラ２００の筐体２１０を左右に横断するように形成された溝２３４ａ，２３４ｂに沿って左右に移動可能に配設されている。
尚、リモートコントローラ２００の筐体２１０の操作子配置面２１１の下方（リモートコントローラ２００を通常の操作を行うように把持した姿勢で手前側）の領域には、図示のように音量調整用アップダウンボタン２２４と、繰り返しの押圧操作によって例えば地上デジタル放送のチャンネル番号のような、所定の選択対象の順序系列における昇順（１→２→３→…→８）または降順（８→７→６→…→１）での切換えを行うためのチャンネル切換え用アップダウンボタン２２５が設けられている。
【００６３】
更に、リモートコントローラ２００の筐体２１０の操作子配置面２１１の上方（リモートコントローラ２００を通常の操作を行うように把持した姿勢で先端側）の領域には、この領域の左寄りの位置にメニューボタン２２６が、この領域の右寄りの位置に電源操作ボタン２２７が、それぞれ設けられている。
メニューボタン２２６は、操作対象となる例えばデジタル放送受信機１００の電源がオンになっている状態で、このボタンを押すと、その表示器１６０にメニュー画面１６００が映出され、このメニュー画面１６０を通して、後述するように、リモートコントローラ２００を用いて例えばチャンネル切換え操作等が可能である。
【００６４】
リモートコントローラ２００の内部には、後に図４を参照して説明するように、回転式操作子２２２の回転に伴って、例えば地上デジタル放送のチャンネル番号のような、所定の選択対象の順序系列における昇順（１→２→３→…→８）または降順（８→７→６→…→１）での切換えを行うための操作信号を生成する操作信号生成手段が設けられている。
【００６５】
図３は、図２におけるリモートコントローラ２００の要部を拡大して表す図である。
この図３において、既述の図２との対応部には同一の参照符号が附されている。
図３（ａ）はリモートコントローラ２００のダイヤル型の回転式操作子２２２およびスライド式のカバー２３０を含む部分の平面図、図３（ｂ）は図２（ａ）のリモートコントローラ２００の内部構造を省略したＡ−Ａ線断面図、図３（ｃ）は図３（ａ）の平面図においてリモートコントローラ２００のカバー２３０を移動した場合を表す図、図３（ｄ）は図３（ｂ）の断面図におけるリモートコントローラ２００のカバー２３０を移動した場合を表す図である。
【００６６】
以下に、既述の図２およびこの図３を参照して本実施の形態の要部について更に詳述する。
回転式操作子２２２はリモートコントローラ２００の操作子配置面２１１上におけるダイレクトボタン２２１よりも下方（リモートコントローラ２００を通常の操作を行うように把持した姿勢で手前側）の領域に配され、この円盤状の回転式操作子２２２の中心部には、同心状に決定ボタン２２３が回転式操作子２２２の主面から突出するように設けられている。
【００６７】
スライド式のカバー２３０は、回転式操作子２２２の右側半面または左側半面を選択的に覆うようにして、即ち、回転式操作子２２２の左側部分を露呈させて該左側部分（左側半面２２２Ｌ）からの回転操作を許容する左側操作許容位置と、この回転式操作子２２２の右側部分を露呈させて該右側部分（右側半面２２２Ｒ）からの回転操作を許容する右側操作許容位置との両位置間で移動可能に設けられている。
【００６８】
即ち、カバー２３０が上述の右側操作許容位置にある状態が、図３（ａ）および図３（ｂ）に表されている。
また、カバー２３０が上述の左側操作許容位置にある状態が、図３（ｃ）および図３（ｄ）に表されている。
カバー２３０は、その平面投影（即ち、図２（ａ）の状態）における前端部位から筐体２１０に向かう（即ち、図２（ａ）では紙面に垂直下方に向かう）ように方形の板状体である前端起立部２３２ａが形成され、同様に、後端部位から筐体２１０に向かうように方形の板状体である後端起立部２３２ｂが形成されている。
【００６９】
これら前端起立部２３２ａおよび後端起立部２３２ｂの各延出端縁２３３ａおよび２３３ｂは、相互に対向する向きに屈曲した屈曲部を各形成している。
図２（ａ）に、図２（ｃ）および図２（ｄ）を併せ参照して容易に理解されるように、カバー２３０の、前端起立部２３２ａおよび後端起立部２３２ｂに各対応して、これら、前端起立部２３２ａおよび後端起立部２３２ｂを図２（ａ）における左右方向（図２（ｃ）および図２（ｄ）では紙面に垂直な方向）に摺動することを許容しながら収容する溝部２３４ａおよび２３４ｂが筐体２１０の操作子配置面２１１を略横断するようにそれぞれ形成されている。
【００７０】
尚、これら溝部２３４ａおよび２３４ｂは、図２（ｃ）および図２（ｄ）を参照して容易に理解されるとおり、前端起立部２３２ａおよび後端起立部２３２ｂの各延出端縁２３３ａおよび２３３ｂの各屈曲部の断面に対応した形状の凹部を有するような断面形状に形成され、且つ、その各左右両端部はそれぞれ適宜の部材（例えば、筐体２１０の左右各側面を構成する部材の該当部分）によって塞がれて、ケース２３０の平面投影における上面方向および左右方向への移動が規制され、ケース２３０がその移動によって筐体２１０から離脱しないように構成されている。
【００７１】
図３（ａ）には、カバー２３０が、回転式操作子２２２の右側部分を露呈させて該右側部分からの回転操作を許容する右側操作許容位置にあるときの状態が表されている。この状態は、図１および図２について同様である。
カバー２３０が図３（ａ）に表されたように、その移動範囲に置ける左端位置にあるときには、回転式操作子２２２の右側半面が露呈して、この露呈部分に対して回転操作を行うことが許容される。
【００７２】
また、カバー２３０には、決定ボタン２２３の左側の外周に対応してこの外周よりも大径の半円形の切欠部２３１Ｒが形成されており、この切欠部２３１Ｒによって決定ボタン２２３の操作がカバー２３０による干渉を受けず支障なく許容される。
カバー２３０が図３（ａ）に表された位置にあるときには、図３（ｂ）に表されたように、溝部２３４ｂ内におけるその右端位置に臨んで設けられた、例えばマイクロスイッチ等によるカバー位置検出センサ２８０には、カバー２３０の後端起立部２３２ｂ（その延出端縁２３３ｂである屈曲部）は接触せず、従って、カバー位置検出センサ２８０は何等の検出出力も発しない。
【００７３】
一方、カバー２３０が図３（ｃ）に表されたように、その移動範囲に置ける右端位置にあるときには、回転式操作子２２２の左側半面が露呈して、この露呈部分に対して回転操作を行うことが許容される。
また、カバー２３０には、決定ボタン２２３の右側の外周に対応してこの外周よりも大径の半円形の切欠部２３１Ｌが形成されており、この切欠部２３１Ｌによって決定ボタン２２３の操作もカバー２３０による干渉を受けず支障なく許容される。
【００７４】
カバー２３０が図３（ｃ）に表された位置にあるときには、図３（ｄ）に表されたように、カバー２３０の後端起立部２３２ｂがその移動範囲における右端位置に位置することによって（この図では後端起立部２３２ｂの背後に隠れて見えなくなるが）、カバー位置検出センサ２８０にカバー２３０の後端起立部２３２ｂ（その延出端縁２３３ｂである屈曲部）が接触し、カバー位置検出センサ２８０は検出出力を発する。
【００７５】
尚、カバー位置検出センサ２８０としては、電気的接点を有するマイクロスイッチであってもよく、また、磁気センサを用いたもの、或いは、フォトインタラプタやフォトリフレクタを用いたもの等々、種々のものを適用することができる。
尚、以下の説明では、カバー２３０が図３（ａ）に表された位置、即ち右側操作許容位置にあるときは、カバー位置検出センサ２８０が検出出力を発せず（出力Ｌ）、一方、カバー２３０が図３（ｃ）に表された位置、即ち左側操作許容位置にあるときには検出出力を発する（出力Ｈ）ものとする。
【００７６】
図４は、図１ないし図３のリモートコントローラの回路構成を表すブロック図である。
図２を参照して説明した操作子配置面２１１に配された複数のダイレクトチャンネルボタン２２１、回転式操作子２２２、メニューボタン２２６、および、電源操作ボタン２２７等の各操作子２２０を含んで構成される操作部２５０は、ダイレクトチャンネルボタン２２１や回転式操作子２２２或いはメニューボタン２２６への操作を感知してシステムコントローラ２４０に伝達するようにこのシステムコントローラ２４０と結ばれている。
【００７７】
操作部２５０が受付けた入力操作に応じて発する操作信号を受け、該操作信号に対応した赤外光による操作指令信号（リモートコントロール信号）を、例えば図１のデジタル放送受信機１００側のリモートコントロール信号受信部１５２に送信するリモートコントロール信号送信部２６０が設けられ、このリモートコントロール信号送信部２６０もシステムコントローラ２４０と結ばれ、このシステムコントローラ２４０から入力される信号に応答して動作する。
更にまた、図２ないし図３を参照して説明したカバー位置検出センサ２８０の検出出力がシステムコントローラ２４０に供給されるように接続されている。
一方、メモリ２７０が、システムコントローラ２４０とデータの授受を行ない得るように接続され、このメモリ２７０にはユーザー設定情報などが格納されている。
【００７８】
図５は、リモートコントローラ２００の回転式操作子２２２の被操作部位が左側半面であるとき、即ち、カバー２３０が図３（ｃ）に表された左側操作許容位置にあるときの、回転式操作子２２２への回転操作の様子と、このように操作されるリモートコントローラ２００から発せられる信号に応答して情報表示装置（デジタル放送受信機）の表示器に映出されるメニュー画面中のアイコン等の代表画像が移動する様子を表す図である。
尚、上述のように、カバー２３０がこの位置にあるときには、カバー位置検出センサ２８０が検出出力Ｈを発する。
【００７９】
図５は、図２ないし図３のリモートコントローラの回転式操作子２２２の被操作部位が左側半面であるときの、回転式操作子２２２への回転操作の様子と、リモートコントローラ２００から発せられる信号に応答して情報表示装置（デジタル放送受信機）１００の表示器１６０に映出されるメニュー画面１６００中のアイコン等の代表画像が移動する様子を表す図である。
【００８０】
図５において、図２ないし図３を参照して既述の部位については同一の参照符号を附して示してある。
図５（ａ）には、象徴的に部分が図示されたリモートコントローラ２００に設けられた回転式操作子２２２の左側半面を被操作部位として、該被操作部位を反時計方向に回転させるときの様子が、回転方向を表す矢線を伴って表されている。このとき、カバー２３０は、その移動範囲における略右端位置（即ち、左側操作許容位置）に設定されている。
【００８１】
既述のように、回転式操作子２２２の左側半面とは、回転式操作子２２２をその平面投影形状の中心であって回転式操作子２２２の回転の軸を含む仮想平面（図２（ｂ）に、この仮想平面の平面投影が一点鎖線で図示されている）によって左右対称となるように二分割して区分される左側半面２２２Ｌの部分である。尚、中心部には、既述の決定ボタン２２３が設けられている。
【００８２】
回転式操作子２２２のこの左側半面２２２Ｌの部位に対する回転操作に応じた反時計方向への回転に伴って、各部が総じて、矢型で図示の下向き（リモートコントローラ２００を操作対象の装置に向けて持ったときに手前側となる向き）に変位する。
図５（ｂ）には、回転式操作子２２２を図５（ａ）を参照して説明したように操作したことに対応して、例えば、デジタル放送受信機である情報表示装置１００（図１）の表示器１６０に映出されるメニュー画面１６００中のアイコン等の各代表画像が移動する様子が示されている。
【００８３】
図５（ｂ）の場合においては、上述の各代表画像は、枠線付きの数字１，２，３，…，８であり、これらは、例えば、地上デジタル放送におけるチャンネル番号を表している。或る時点では、図示のように、１，２，…，５がメニュー画面１６００の領域内に収まるように表示され、それ以外の数字６，７，８は破線の枠線を附して概念的に示されているように、メニュー画面１６００の領域内には表示されず、言わば待機状態にある。
【００８４】
図５（ｂ）に図示の状態から、更に、リモートコントローラ２００の回転式操作子２２２を、図５（ａ）を参照して説明したように反時計方向に回転操作すると、各代表画像１，２，３，…は矢線図示のように円弧状の移動軌跡を描く如く、各々が、総じて、矢型で図示の下向きに移動する。
例えば、回転式操作子２２２が所定角度毎にクリックを生じながら回転変位するように構成されたものである場合に、このような回転変位におけるクリック発生の間隔である所定単位角度毎に、図５（ｂ）の代表画像は、一つのもの（例えば「８」）が新たにメニュー画面１６００中に入り、これに伴って、他の一つのもの（例えば「５」）がメニュー画面１６００外に出る（表示されなくなる）。
【００８５】
図５（ｃ）には、回転式操作子２２２を図５（ａ）の場合とは反対に、時計方向に回転させるときの様子が、回転方向を表す矢線を伴って表されている。カバー２３０については、図示のとおり、その移動範囲における略右端位置（即ち、左側操作許容位置）に設定された図５（ａ）のときと同じ状態を維持している。
回転式操作子２２２における既述の左側半面２２２Ｌの部分では、回転式操作子２２２の時計方向の回転に伴って、各部が総じて、矢型で図示の上向き（リモートコントローラ２００を操作対象の装置に向けて持ったときにその装置に向かう側となる向き）に変位することになる。
【００８６】
図５（ｄ）には、リモートコントローラ２００の回転式操作子２２２を、図５（ｃ）を参照して説明したように操作したことに対応して、表示器１６０に映出されるメニュー画面１６００中のアイコン等の各代表画像が移動する様子が示されている。
当初は図５（ｂ）に図示の状態と同じ状態から、更に、リモートコントローラ２００の回転式操作子２２２を、図５（ｃ）を参照して説明したように時計方向に回転操作すると、各代表画像１，２，３，…は矢線図示のように円弧状の移動軌跡を描く如く、各々が、総じて、矢型で図示の上向きに移動する。
【００８７】
以上、図５（ａ）〜図５（ｄ）を参照して説明したところから明瞭に理解されるように、この実施の形態では、カバー２３０が図３（ｃ）に表された左側操作許容位置にあって、回転式操作子２２２の左側半面２２２Ｌの円弧を描く部分を被操作部位とし、この円弧の適宜の部位に操作者が指で触れて回転操作する場合においては、この回転式操作子２２２の左側半面２２２Ｌの円弧の部分の、図５（ａ）に示された下向きの変位（矢型で図示）に対応して、選択対象である例えばチャンネル番号である枠線付きの数字も、図５（ｂ）を参照して説明したような下向きの変位（矢型で図示）、即ち、３→２→１…と降順での切換えが起こるように制御されることになる。この制御については更に後述する。
【００８８】
尚、図５（ｂ）の表示状態にあるときには、デフォルトの状態でフォーカスされているチャンネル番号は、各番号が右横に凸となるように円弧を描いて突出した並びにおける最も右に位置する「３」である。メニュー画面１６００がこの状態にあるときにリモートコントローラ２００の決定ボタン２２３を押すと、例えば番号３に対応するチャンネル（コンテンツ）が選択されることになる。
また、図５（ｃ）に表されたように、操作子２２２への時計方向（上向き）の回転操作に対応して、図５（ｄ）を参照して理解されるように、選択対象である例えばチャンネル番号である枠線付きの数字も、３→４→５…といった昇順での切換が行われる。
【００８９】
換言すれば、回転式操作子２２２の操作方向（変位方向）と、選択対象であるチャンネル番号の順序系列における昇順または降順での切換わりの順序とは、常に、相互に一致する関係になっている。
従って、通常の操作者（デジタル放送受信機の視聴者）におけるリモートコントローラ２００（その回転式操作子２２２）の操作感覚と、現実に選択対象（例えばチャンネル番号）が（昇順または降順に）切換わる順序とは、常に一致し、違和感を覚えることがない。
【００９０】
以上、本発明の実施の形態では、カバー２３０がその移動範囲における右端位置にあって、リモートコントローラ２００の回転式操作子２２２の被操作部位が左側半面２２２Ｌであるときの（即ち、カバー２３０が左側操作許容位置にあるときの）、回転式操作子２２２への回転操作の様子と、このように操作されるリモートコントローラ２００から発せられる信号に応答して情報表示装置（デジタル放送受信機）１００の表示器１６０に映出されるメニュー画面１６００中のアイコン等の代表画像が移動する様子とに関し、操作方向と選択対象であるチャンネル番号の順序系列における昇順または降順での切換わりの順序とは、常に、相互に一致する関係になり、操作に違和感が生じる虞がない旨説明した。
【００９１】
一方、リモートコントローラ２００の回転式操作子２２２の被操作部位が右側半面であるときには（即ち、カバー２３０が右側操作許容位置にあるときには）、図８を参照して説明したように、元々、操作方向と選択対象であるチャンネル番号の順序系列における昇順または降順での切換わりの順序とが逆転した関係になるといったことが生じないため、別段の策を講じる必要がない。
【００９２】
図５（ａ）〜図５（ｄ）を参照して説明した本発明の実施の形態では、上述したように、これと対比される図９（ａ）〜図９（ｄ）を参照して説明した従来の技術におけるような、ダイヤル型の操作子１０１０の操作方向（変位方向）と、選択対象であるチャンネル番号の順序系列における昇順または降順での切換わりの順序とは、相互に逆行する関係になって通常の操作者が違和感を覚えるものとなってしまうといった問題が解決される。
【００９３】
本発明の実施の形態において、このように、従来の問題が解決されるような制御が実行される過程について更に説明する。
リモートコントローラ２００（図２〜図４）における電源操作ボタン２２７が操作されて、リモートコントローラ２００のシステムコントローラ２４０がこれを認識すると、システムコントローラ２４０はリモートコントロール信号送信部２６０を制御して、電源オン操作を行うリモートコントロール信号をデジタル放送受信機１００に送信させる。
【００９４】
デジタル放送受信機１００側（図１）では、リモートコントロール信号受信部１５２でこのリモートコントロール信号を受け、リモートコントロール信号デコード部１５３でデコードしてシステムコントローラ１５０に入力する。この入力を認識したシステムコントローラ１５０が図示しない電源回路を制御して、各部に動作電源が供給されて動作する状態になる。
【００９５】
この状態で、リモートコントローラ２００側のメニューボタン２２６が操作されると、この操作に応じて発せられるメニュー画面表示を行わせるためのリモートコントロール信号が送信され、デジタル放送受信機１００側のリモートコントロール信号受信部１５２→リモートコントロール信号デコード部１５３→システムコントローラ１５０の信号伝送過程を経て、システムコントローラ１５０において、このリモートコントロール信号が認識され、該認識に基づいてシステムコントローラ１５０がＯＳＤ部１５１を制御して、表示器１６０にメニュー画面を映出させる。
【００９６】
このメニュー画面が、例えば、既述の、図５（ｂ）或いは図５（ｄ）に図示のものであり、このメニュー画面中でフォーカスされているアイコン等の代表画像について、決定ボタン２２３を操作することによって、その選択を確定することができる。
本発明の一つの実施例では、リモートコントローラ２００（そのシステムコントローラ２４０）において、回転式操作子２２２に対する操作が、回転式操作子２２２の左側半面２２２Ｌを被操作部位として行われているか、或いは、右側半面２２２Ｒを被操作部位として行われているかを判定し、この判定結果を、リモートコントロール信号送信部２６０を通して、他のチャンネル切換え等の操作のためのリモートコントロール信号と共に、デジタル放送受信機１００に送信する。
【００９７】
これを受けたデジタル放送受信機１００側のシステムコントローラ１５０では、この判定結果を反映させて、上述のように被操作部位が右側半面２２２Ｒか左側半面２２２Ｌかを認識し、この認識に基づいて、被操作部位が左側半面２２２Ｌである場合にも、図５を参照して説明したように、回転式操作子２２２の操作方向と選択対象であるチャンネル番号の順序系列における昇順または降順での切換わりの順序とが相互に逆行する関係にならないようにＯＳＤ部１５１を制御する。
また、本発明の他の一つの実施例では、リモートコントローラ２００は、そのシステムコントローラ２４０およびリモートコントロール信号送信部２６０が、カバー位置検出センサ２８０を検出端とするカバー位置識別手段によるカバー位置識別結果を被操作装置に送信するカバー位置識別信号送信手段として機能するように構成される。
【００９８】
このような実施例では、このカバー位置識別信号送信手段としてのシステムコントローラ２４０およびリモートコントロール信号送信部２６０からのカバー位置識別信号を情報表示装置としてのデジタル放送受信機１００側におけるカバー位置識別信号受信手段としてのリモートコントロール信号受信部１５２で受信することにより、これらの情報を反映させた形態で表示器１６０に情報の表示を行うことが可能になる。リモートコントローラ２００の操作状態に良く適合した態様での操作上の違和感の生じない表示を行うことが可能になる。
【００９９】
図６は、リモートコントローラ２００の回転式操作子２２２の被操作部位が左側半面２２２Ｌであるときの、回転式操作子２２２への回転操作の様子と、リモートコントローラ２００から発せられる信号に応答して情報表示装置１００の表示器１６０におけるメニュー画面１６００の表示が切換えられる様子を表す図である。
図８を参照して説明した従来技術におけるように、回転式操作子２２２の被操作部位が右側半面２２２Ｒであるときには、リモートコントローラ２００の操作者が操作のために注目している限定的部位とその近傍部である回転式操作子２２２の右側半面２２２Ｒに沿った形での表示が情報表示装置１００の表示器１６０に表示され、そのままで、違和感のない良好な操作性が確保される。
【０１００】
回転式操作子２２２の右側半面２２２Ｒの弧の部分が右に凸を成しているのに倣って、表示器１６０側のアイコン等の代表画像の並び方も、右に凸を成す弧状のものとなり、双方を比較しても馴染んで違和感がないからである。
これに対し、回転式操作子２２２の被操作部位が左側半面２２２Ｌであるときには、別段の策を講じない場合には、図９を参照して説明した従来技術におけるように、リモートコントローラ２００の操作者が操作のために注目している限定的部位とその近傍部である回転式操作子２２２の左側半面２２２Ｌに沿った形での表示が情報表示装置１００の表示器１６０に表示されず、反対の右側半面２２２Ｒに沿った形での表示が情報表示装置１００の表示器１６０に表示され、そのままでは、違和感がある。
【０１０１】
図６は、図２ないし図４のリモートコントローラ２００の回転式操作子２２２の被操作部位が左側半面２２２Ｌであるときの、回転式操作子２２２への回転操作の様子と、リモートコントローラ２００から発せられる信号に応答して情報表示装置１００の表示器１６０におけるメニュー画面１６００の表示が切換えられる様子を表す図である。
図６において、図２ないし図３を参照して既述の部位については同一の参照符号を附して示してある。
【０１０２】
図６に表されている例では、リモートコントローラ２００の操作者が操作のために注目している限定的部位とその近傍部が回転式操作子２２２の左側半面２２２Ｌであるときにも、回転式操作子２２２の左側半面２２２Ｌの弧の部分が左に凸を成しているのに倣って、表示器１６０側のアイコン等の代表画像の並び方も、メニュー画面１６００の右辺側から左に凸を成す弧状のものとして、情報表示装置であるデジタル放送受信機１００の表示器１６０に表示され、回転式操作子２２２の被操作部位が左側半面２２２Ｌであることとの対比において違和感のない表示が得られる。
【０１０３】
上述のような、回転式操作子２２２の被操作部位が右側半面２２２Ｒであるか左側半面２２２Ｌであるかに応じた表示形態の切換えも、リモートコントローラ２００から既述のようにして発せられるカバー２３０の位置を表す情報を含むリモートコントロール信号を情報表示装置であるデジタル放送受信機１００が受けて、そのシステムコントローラ１５０においてその信号の内容を認識し、該認識に基づいてシステムコントローラ１５０がＯＳＤ部１５１を適切に制御することによって達成される。
【０１０４】
図６（ａ）には、象徴的に部分が図示されたリモートコントローラ２００に設けられた回転式操作子２２２の左側半面２２２Ｌを被操作部位として、該被操作部位を反時計方向に回転させるときの様子が、回転方向を表す矢線を伴って表されている。このとき、カバー２３０は、その移動範囲における略右端位置に設定されている。
回転式操作子２２２の左側半面２２２Ｌの部位に対する回転操作に応じた反時計方向への回転に伴って、各部が総じて、矢型で図示の下向き（リモートコントローラ２００を操作対象の装置に向けて持ったときに手前側となる向き）に変位する。
【０１０５】
図６（ｂ）には、回転式操作子２２２を、図６（ａ）を参照して説明したように操作したことに対応して、例えば、デジタル放送受信機である情報表示装置１００（図１）の表示器１６０に映出されるメニュー画面１６００中のアイコン等の各代表画像が移動する様子が示されている。
図６（ｂ）の場合においては、上述の各代表画像は、枠線付きの数字１，２，３，…，８であり、これらは、例えば、地上デジタル放送におけるチャンネル番号を表している。或る時点では、図示のように、１，２，…，５がメニュー画面１６００の領域内に収まるように表示され、それ以外の数字６，７，８は破線の枠線を附して概念的に示されているように、メニュー画面１６００の領域内には表示されず、言わば待機状態にある。
【０１０６】
また特に、図示のとおり、回転式操作子２２２の左側半面の弧の部分が左に凸を成しているのに倣って、表示器１６０側のアイコン等の代表画像の並び方も、メニュー画面１６００の右辺側から左に凸を成す弧状のものとして、情報表示装置であるデジタル放送受信機１００の表示器１６０に表示され、回転式操作子２２２の被操作部位が左側半面２２２Ｌであることとの対比において違和感のない表示が得られている。
【０１０７】
図６（ｂ）に図示の状態から、更に、リモートコントローラ２００の回転式操作子２２２を、図６（ａ）を参照して説明したように反時計方向に回転操作すると、各代表画像１，２，３，…は矢線図示のように円弧状の移動軌跡を描く如く、各々が、総じて、矢型で図示の下向きに移動する。
例えば、回転式操作子２２２が所定角度毎にクリックが生じるように回転変位するように構成されたものである場合に、このような回転変位におけるクリック発生の間隔である所定単位角度毎に、図６（ｂ）の代表画像は、一つのもの（例えば「８」）が新たにメニュー画面１６００中に入り、これに伴って、他の一つのもの（例えば「５」）がメニュー画面１６００外に出る（表示されなくなる）。
【０１０８】
図６（ｃ）には、回転式操作子２２２を図６（ａ）の場合とは反対に、時計方向に回転させるときの様子が、回転方向を表す矢線を伴って表されている。
回転式操作子２２２における既述の左側半面２２２Ｌの部分では、回転式操作子２２２の時計方向の回転に伴って、各部が総じて、矢型で図示の上向き（リモートコントローラ２００を操作対象の装置に向けて持ったときにその装置に向かう側となる向き）に変位することになる。
図６（ｄ）には、リモートコントローラ２００の回転式操作子２２２を、図６（ｃ）を参照して説明したように操作したことに対応して、表示器１６０に映出されるメニュー画面１６００中のアイコン等の各代表画像が移動する様子が示されている。
【０１０９】
この場合も、図示のとおり、回転式操作子２２２の左側半面の弧の部分が左に凸を成しているのに倣って、表示器１６０側のアイコン等の代表画像の並び方も、メニュー画面１６００の右辺側から左に凸を成す弧状のものとして、情報表示装置であるデジタル放送受信機１００の表示器１６０に表示され、回転式操作子２２２の被操作部位が左側半面２２２Ｌであることとの対比において違和感のない表示が得られている。
当初は図６（ｂ）に図示の状態と同じ状態から、更に、リモートコントローラ２００の回転式操作子２２２を、図６（ｃ）を参照して説明したように時計方向に回転操作すると、各代表画像１，２，３，…は矢線図示のように円弧状の移動軌跡を描く如く、各々が、総じて、矢型で図示の上向きに移動する。
【０１１０】
従って、図５を参照して説明した実施例と同様に、通常の操作者（デジタル放送受信機の視聴者）におけるリモートコントローラ２００（その回転式操作子２２２）の操作感覚と、現実に選択対象（例えばチャンネル番号）が（昇順または降順に）切換わる順序とは、常に一致し、違和感を覚えることがない。
更に、図６を参照して説明した実施例では、代表画像の並び方も、回転式操作子２２２の操作対象部位である左側半面２２２Ｌの部分の円弧の形状に倣ったものとなり、一層自然な感覚で操作することが可能になる。
【０１１１】
図７は、リモートコントローラ２００において、カバー位置検出センサ２８０による検出状況に応じて、回転式操作子２２２の右側半面２２２Ｒに対する操作が行われているか或いは左側半面２２２Ｌに対する操作が行われているかを判定し、この判定結果を反映させたリモートコントロール信号を出力する動作を表すフローチャートである。
この図７を参照しての説明においても、既述のように、カバー２３０が図３（ａ）に表された位置、即ち右側操作許容位置にあるときは、カバー位置検出センサ２８０が検出出力を発せず（出力Ｌ）、一方、カバー２３０が図３（ｃ）に表された位置、即ち左側操作許容位置にあるときには検出出力を発する（出力Ｈ）ものとする。
【０１１２】
図７において、先ずカバー位置検出センサ２８０の検出出力がＨかＬかを識別する（ステップＳ７０１）。
ステップＳ７０１でカバー位置検出センサ２８０の検出出力がＬであると識別されたときには、回転式操作子２２２の右側半面２２２Ｒへ操作が行われている状態であると判定される。
ステップＳ７０１で、上述のように、回転式操作子２２２の被操作部位が右側半面２２２Ｒであると判定されたときには、図８を参照して既述の場合と同様に、ダイヤル型の回転式操作子２２２の操作方向（変位方向）と選択対象であるチャンネル番号の順序系列における昇順または降順での切換え順序とは一致した関係になっている。
【０１１３】
従って、通常の操作者（デジタル放送受信機の視聴者）におけるリモートコントローラ２００（そのダイヤル型の回転式操作子２２２）の操作感覚と選択対象（チャンネル番号）の昇順または降順が切換わる順序とは一致したものとなり、違和感がない。
よって、この場合には、リモートコントローラ２００の回転式操作子２２２への回転操作によって生じる昇順または降順の切換えを行うリモートコントロール信号は、別段の補正を施さずにリモートコントロール信号送信部（図４：２６０）から出力される（ステップＳ７０３）。
【０１１４】
一方、ステップＳ７０１で、カバー位置検出センサ２８０の検出出力がＨであると識別されたときには、回転式操作子２２２の左側半面２２２Ｌへ操作が行われている状態であると判定される。
回転式操作子２２２の被操作部位が左側半面２２２Ｌであると判定されたときには、図９を参照して既述の場合と同様に、回転式操作子２２２の操作方向（変位方向）と、選択対象であるチャンネル番号の順序系列における昇順または降順での切換わりの順序とは、相互に逆行する関係になっている。
【０１１５】
従って、通常の操作者（デジタル放送受信機の視聴者）におけるリモートコントローラ（その回転式操作子２２２）の操作感覚と、現実に選択対象（チャンネル番号）が（昇順または降順に）切換わる順序とは、一致せず、違和感を覚えるものとなる。
このため、図５および図６を参照して説明したように、回転式操作子２２２の操作方向（変位方向）と、選択対象であるチャンネル番号の順序系列における昇順または降順での切換わりの順序とが一致するものとなるように、リモートコントロール信号に補正処理を施した後（ステップＳ７０２）、リモートコントロール信号送信部２６０から送信される（ステップＳ７０７）。
【０１１６】
また、更に改善を進めた実施例では、図６を参照して説明したように、回転式操作子２２２の左側半面の弧の部分が左に凸を成しているのに倣って、情報表示装置としてのデジタル放送受信機１００の表示器１６０側のアイコン等の代表画像の並び方も、メニュー画面１６００の右辺側から左に凸を成す弧状のものとして、情報表示装置であるデジタル放送受信機１００の表示器１６０に表示して、回転式操作子２２２の被操作部位が左側半面２２２Ｌであることとの対比において違和感のない表示を得るために適切な補正処理を施して（ステップＳ７０２）、リモートコントロール信号送信部２６０から送信される（ステップＳ７０３）。
【０１１７】
以上、図７のフローチャートに沿った処理に基づいて形成されたリモートコントロール信号がリモートコントロール信号送信部２６０から情報表示装置としてのデジタル放送受信機１００に送信され、該信号をリモートコントロール信号受信部１５０で受信したデジタル放送受信機１００側では、既述のように、リモートコントロール信号デコード部１５３を介してシステムコントローラ１５０がこの信号の内容を認識し、この認識に基づいて処理を実行するシステムコントローラ１５０の制御下でＯＳＤ部１５１が適切に作動するため、リモートコントローラ２００の回転式操作子２２２への回転操作が、たとえ左側半面２２２Ｌに対して行われる場合であっても、図５或いは図６を参照して説明したような、適正な表示が表示器１６０のメニュー画面１６００において行われ得る。
【０１１８】
以上の説明を通して、ならびに、図１を参照して理解されるとおり、本発明の一つの実施の形態は、操作者が片手で把持可能な外形および寸法を有し所定の外面部分が遠隔操作用の操作子を配する操作子配置面２１１を成す筐体２１０と、回転の軸方向が操作子配置面２１１と略直交するように配され且つ当該回転の軸を含む仮想平面によって区分される左右何れの部分からも操作者の指による回転操作を受けて回転可能な回転式操作子２２２と、回転式操作子２２２の左側部分２２２Ｌを露呈させて該左側部分からの回転操作を許容する左側操作許容位置と、回転式操作子２２２の右側部分２２２Ｒを露呈させて該右側部分からの回転操作を許容する右側操作許容位置との両位置間で移動可能に設けられ回転式操作子２２２を部分的に覆うカバー２３０と、カバー２３０が左側操作許容位置にあるか右側操作許容位置にあるかを識別するカバー位置識別手段（カバー位置検出センサ２８０＋システムコントローラ２４０）と、回転式操作子２２２の回転に伴って所定の選択対象の順序系列における昇順または降順での切換えを行うための操作信号を生成すると共にカバー位置識別手段（カバー位置検出センサ２８０＋システムコントローラ２４０）による識別結果に応じて、回転式操作子２２２の回転方向と選択対象の順序系列における昇順または降順での切換え順序との対応関係を決定し、該決定された切換え順序に適合する操作信号を生成するように構成されたリモートコントローラ２００と、
カバー位置識別信号を受信するカバー位置識別信号受信手段（図１：リモートコントロール信号受信部１５２）と、カバー位置識別信号受信手段１５２によって受信されたカバー位置識別信号に基づいて、リモートコントローラ２００における回転式操作子２２２の回転方向に対する選択対象の順序系列を象徴的に表す表示における昇順または降順の表示順序を選択的に切換えて表示器１６０に表示させるように制御する表示制御手段（図１：システムコントローラ１５０、ＯＳＤ部１５１）と、を備えた情報表示装置１００と、
を含んで情報表示システムを構成している。
【図面の簡単な説明】
【０１１９】
【図１】本発明の一つの実施の形態としての情報表示システムを表す図である。
【図２】本発明の一つの実施の形態としてのリモートコントローラの外観を表す図である。
【図３】図２におけるリモートコントローラの要部を拡大して表す図である。
【図４】図１ないし図３のリモートコントローラの回路構成を表すブロック図である。
【図５】図１ないし図３のリモートコントローラの回転式操作子の被操作部位が左側半面であるときの、回転式操作子への回転操作の様子と、リモートコントローラから発せられる信号に応答して情報表示装置のメニュー画面中の代表画像が移動する様子を表す図である。
【図６】図１ないし図３のリモートコントローラの回転式操作子の被操作部位が左側半面であるときの、回転式操作子への回転操作の様子と、リモートコントローラから発せられる信号に応答して情報表示装置の表示器におけるメニュー画面の表示態様が切換えられる様子を表す図である。
【図７】図１ないし図３のリモートコントローラにおいて、カバー位置検出センサによる検出状況に応じて、回転式操作子の右側半面に対する操作が行われているか或いは左側半面に対する操作が行われているかを判定し、この判定結果を反映させたリモートコントロール信号を出力する動作を表すフローチャートである。
【図８】従来のリモートコントローラの回転式の操作子（その右側半面）を回転操作した場合の作用について説明する図である。
【図９】従来のリモートコントローラの回転式の操作子（その左側半面）を回転操作した場合の作用について説明する図である。
【符号の説明】
【０１２０】
１０…情報表示システム  １００…デジタル放送受信機（情報表示装置）  １４１…加算器  １４２…映像処理部  １４４…映像出力部  １５０…システムコントローラ  １５１…ＯＳＤ部  １５２…リモートコントロール信号受信部  １５３…リモートコントロール信号デコード部  １６０…表示器  ２００…リモートコントローラ    ２１０…筐体  ２１１…操作子配置面  ２２０…操作子  ２２１…ダイレクトチャンネルボタン  ２２２…回転式操作子  ２２３…決定ボタン  ２２４…音量調整用アップダウンボタン  ２２５…チャンネル切換え用アップダウンボタン  ２２６…メニューボタン  ２２７…電源操作ボタン  ２３０…カバー  ２４０…システムコントローラ  ２５０…操作部  ２６０…リモートコントロール信号送信部  ２７０…メモリ  ２８０…カバー位置検出センサ  ２２２Ｌ…左側半面  ２２２Ｒ…右側半面  １０００…リモートコントローラ  １０１０…操作子  １０２０…決定ボタン  ２０００…デジタル放送受信機（情報表示装置）  ２０１０…表示器  ２０１１…メニュー画面  １０１０Ｌ…左側半面  １０１０Ｒ…右側半面
【図１】
2008109299.tif 000003
【図２】
2008109299.tif 000004
【図３】
2008109299.tif 000005
【図４】
2008109299.tif 000006
【図５】
2008109299.tif 000007
【図６】
2008109299.tif 000008
【図７】
2008109299.tif 000009
【図８】
2008109299.tif 000010
【図９】
2008109299.tif 000011